(57)【要約】【課題】パケット伝送用のネットワーク上で音声通信を行なう際に、音声の抜けやノイズ等の発生を低減することを可能にする。【解決手段】主装置３において、生成したクロック信号をタイムスタンプ情報として定期的にＬＡＮ１上の各ＩＰ電話端末２−１〜２−ｎに配信する。そして、各ＩＰ電話端末２−１〜２−ｎにおいて、生成したクロック信号と主装置３から送られたタイムスタンプ情報とを比較することでクロック誤差が所定値を超えるか否か、つまり各自端末のバッファにおけるオーバーランまたはアンダーランを起こす範囲であるか否かを常時判定し、所定値を超える場合に、クロック誤差が所定値以下となるようにクロック生成周波数を制御する。【選択図】    図１
2004336145.tif 000002
【特許請求の範囲】
【請求項１】
クロック信号を生成する第１のクロック生成手段を有し、このクロック信号に基づき、パケットを伝送する内部通信ネットワークと、この内部通信ネットワークとは異なりかつパケットを伝送する外部通信ネットワークとの間を接続する主装置と、
前記内部通信ネットワークに接続され、かつ音声入力手段、音声出力手段及び第２のクロック生成手段を有し、この第２のクロック生成手段で生成されるクロック信号に基づいて、前記音声入力手段から入力された音声信号を音声パケットに変換して前記内部通信ネットワークに送信すると共に前記内部通信ネットワークから受信した音声パケットを音声信号に変換して音声出力手段から出力する複数のネットワーク電話端末とを備えたネットワーク電話システムであって、
前記主装置は、
前記第１のクロック生成手段で生成されるクロック信号をタイムスタンプ情報として定期的に前記内部通信ネットワークを介して前記ネットワーク電話端末に送信するタイムスタンプ情報送信手段を備え、
前記ネットワーク電話端末は、
前記内部通信ネットワークから受信した受話音声パケット、及び前記内部通信ネットワークに送信すべき送話音声パケットを格納して出力するバッファと、
前記第２のクロック生成手段により生成されたクロック信号に同期した読み出しタイミングで前記バッファに格納された受話音声パケットを読み出し、前記クロック信号に同期した書き込みタイミングで前記送話音声パケットを前記バッファに書き込むバッファ制御手段と、
前記主装置から前記内部通信ネットワークを介して到来したタイムスタンプ情報を前記第２のクロック生成手段で生成されたクロック信号と比較し、この比較結果に基づいて前記第２のクロック生成手段のクロック生成周波数を制御するクロック制御手段とを備えたことを特徴とするネットワーク電話システム。
【請求項２】
前記クロック制御手段は、前記主装置から前記内部通信ネットワークを介して到来したタイムスタンプ情報と前記第２のクロック生成手段で生成されたクロック信号とを比較してクロック誤差を求め、このクロック誤差が所定値以下となるように前記第２のクロック生成手段のクロック生成周波数を制御することを特徴とする請求項１記載のネットワーク電話システム。
【請求項３】
クロック信号を生成する第１のクロック生成手段を有し、このクロック信号に基づき、パケットを伝送する内部通信ネットワークと、この内部通信ネットワークとは異なりかつパケットを伝送する外部通信ネットワークとの間を接続する主装置と、
前記内部通信ネットワークに接続され、かつ音声入力手段、音声出力手段及び第２のクロック生成手段を有し、この第２のクロック生成手段で生成されるクロック信号に基づいて、前記音声入力手段から入力された音声信号を音声パケットに変換して前記内部通信ネットワークに送信すると共に前記内部通信ネットワークから受信した音声パケットを音声信号に変換して音声出力手段から出力する複数のネットワーク電話端末とを備えたネットワーク電話システムで使用される主装置であって、
前記第１のクロック生成手段で生成されるクロック信号をタイムスタンプ情報として定期的に前記内部通信ネットワークを介して前記ネットワーク電話端末に送信するタイムスタンプ情報送信手段を備え、
前記ネットワーク電話端末にて、前記第２のクロック生成手段で生成されたクロック信号を前記タイムスタンプ情報送信手段により送信されたタイムスタンプ情報と比較して該タイムスタンプ情報に合わせるようにしたことを特徴とするネットワーク電話システムの主装置。
【請求項４】
クロック信号を生成する第１のクロック生成手段を有し、このクロック信号に基づき、パケットを伝送する内部通信ネットワークと、この内部通信ネットワークとは異なりかつパケットを伝送する外部通信ネットワークとの間を接続する主装置と、
前記内部通信ネットワークに接続され、かつ音声入力手段、音声出力手段及び第２のクロック生成手段を有し、この第２のクロック生成手段で生成されるクロック信号に基づいて、前記音声入力手段から入力された音声信号を音声パケットに変換して前記内部通信ネットワークに送信すると共に前記内部通信ネットワークから受信した音声パケットを音声信号に変換して音声出力手段から出力する複数のネットワーク電話端末とを備えたネットワーク電話システムで使用されるネットワーク電話端末であって、
前記第１のクロック生成手段で生成されるクロック信号をタイムスタンプ情報として定期的に前記内部通信ネットワークを介して送信されるとき、
前記内部通信ネットワークから受信した受話音声パケット、及び前記内部通信ネットワークに送信すべき送話音声パケットを格納して出力するバッファと、
前記第２のクロック生成手段で生成されたクロック信号に同期した読み出しタイミングで前記バッファに格納された受話音声パケットを読み出し、前記クロック信号に同期した書き込みタイミングで前記送話音声パケットを前記バッファに書き込むバッファ制御手段と、
前記主装置から前記内部通信ネットワークを介して到来したタイムスタンプ情報を前記第２のクロック生成手段で生成されたクロック信号と比較し、この比較結果に基づいて前記第２のクロック生成手段のクロック生成周波数を制御するクロック制御手段とを備えたことを特徴とするネットワーク電話端末。
【請求項５】
前記クロック制御手段は、前記主装置から前記内部通信ネットワークを介して到来したタイムスタンプ情報と前記第２のクロック生成手段で生成されたクロック信号とを比較してクロック誤差を求め、このクロック誤差が所定値以下となるように前記第２のクロック生成手段のクロック生成周波数を制御することを特徴とする請求項４記載のネットワーク電話端末。
【発明の詳細な説明】
【０００１】
【発明の属する技術分野】
この発明は、マルチメディア情報通信を行なうシステムに係わり、特に音声通信サービスの充実を図ったネットワーク電話システムとその主装置及びネットワーク電話端末に関する。
【０００２】
【従来の技術】
近年、構内ネットワークシステムにあっては、ＬＡＮ（Ｌｏｃａｌ  Ａｒｅａ  Ｎｅｔｗｏｒｋ）に通話処理機能とメディア情報処理機能とを備えたネットワーク電話端末（ＩＰ電話端末）を接続すると共に、ＬＡＮを主装置を介して外部のＩＰ通信網に接続し、ＩＰ電話端末及び主装置においてプロトコル変換及びデータのフォーマット変換等を行なうことにより、ＩＰ電話端末相互間及びＩＰ電話端末とＩＰ通信網との間で音声通信を可能にするシステムが提唱されている。
【０００３】
この種のシステムでは、送信側となるＩＰ電話端末または主装置において、各自のサンプリングクロックで音声信号を音声パケットに変換してＬＡＮに送出し、受信側となるＩＰ電話端末または主装置において、ＬＡＮから受信した音声パケットをバッファに蓄積し、各自のサンプリングクロックでバッファに蓄積された音声パケットを読み出してアナログ音声信号に変換している（例えば特許文献１）。
【０００４】
【特許文献１】
特願平９−１６１７２２号。
【０００５】
【発明が解決しようとする課題】
ところが、上記システムでは、ＩＰ電話端末及び主装置において、相互にクロックが同期しておらず、このため、一定時間以上通話を行なうとバッファのオーバーフロー（オーバーラン）、バッファの追い越し（アンダーラン）が発生し、音声の抜けなどが発生することがある。また、ノイズ等になる場合もある上に、データ伝送が難しい等の不具合があった。
【０００６】
この発明の目的は、パケット伝送用のネットワーク上で音声通信を行なう際に、音声の抜けやノイズ等の発生を低減することが可能なネットワーク電話システムとその主装置及びネットワーク電話端末を提供することにある。
【０００７】
【課題を解決するための手段】
この発明は、上記目的を達成するために、以下のように構成される。
【０００８】
（１）クロック信号を生成する第１のクロック生成手段を有し、このクロック信号に基づき、パケットを伝送する内部通信ネットワークと、この内部通信ネットワークとは異なりかつパケットを伝送する外部通信ネットワークとの間を接続する主装置と、内部通信ネットワークに接続され、かつ音声入力手段、音声出力手段及び第２のクロック生成手段を有し、この第２のクロック生成手段で生成されるクロック信号に基づいて、音声入力手段から入力された音声信号を音声パケットに変換して内部通信ネットワークに送信すると共に内部通信ネットワークから受信した音声パケットを音声信号に変換して音声出力手段から出力する複数のネットワーク電話端末とを備えたネットワーク電話システムであって、
主装置は、第１のクロック生成手段で生成されるクロック信号をタイムスタンプ情報として定期的に内部通信ネットワークを介してネットワーク電話端末に送信するタイムスタンプ情報送信手段を備え、ネットワーク電話端末は、内部通信ネットワークから受信した受話音声パケット、及び内部通信ネットワークに送信すべき送話音声パケットを格納して出力するバッファと、第２のクロック生成手段により生成されたクロック信号に同期した読み出しタイミングでバッファに格納された受話音声パケットを読み出し、クロック信号に同期した書き込みタイミングで送話音声パケットをバッファに書き込むバッファ制御手段と、主装置から内部通信ネットワークを介して到来したタイムスタンプ情報を第２のクロック生成手段で生成されたクロック信号と比較し、この比較結果に基づいて第２のクロック生成手段のクロック生成周波数を制御するクロック制御手段とを備えるようにしたものである。
【０００９】
（１）の発明によれば、主装置にて生成されたクロック信号がタイムスタンプ情報として定期的に複数のネットワーク電話端末に供給される。そして、各ネットワーク電話端末にて生成されたクロック信号と主装置から送られたタイムスタンプ情報とが比較され、この比較結果からクロックがずれた分だけクロック信号のクロック生成周波数が制御されることになる。したがって、主装置と各ネットワーク電話端末との間で自動的にクロック同期を行なうことが可能となり、これにより音声通信を行なう際に発生する音声の抜けやノイズ等を低減することが可能となる。
【００１０】
（２）クロック制御手段は、主装置から内部通信ネットワークを介して到来したタイムスタンプ情報と第２のクロック生成手段で生成されたクロック信号とを比較してクロック誤差を求め、このクロック誤差が所定値以下となるように第２のクロック生成手段のクロック生成周波数を制御することを特徴とする。
【００１１】
（２）の発明によれば、各ネットワーク電話端末において、生成されたクロック信号と主装置から送られたタイムスタンプ情報とを比較することでクロック誤差が所定値を超えるか否か、つまりバッファにおけるオーバーランまたはアンダーランを起こす範囲であるか否かが常時判定される。そして、所定値を超えた場合に、クロック誤差が所定値以下となるように自端末のクロック生成手段のクロック生成周波数が制御されることになる。したがって、主装置で生成されるクロック信号が外部通信ネットワーク上で使用されるクロック信号に同期している場合に、各ネットワーク電話端末で生成されるクロック信号を外部通信ネットワークのクロック信号に同期させることができ、これによりバッファにおけるオーバーランやアンダーランを避けることができる。
【００１２】
【発明の実施の形態】
以下、この発明の実施形態について図面を参照して詳細に説明する。
図１は、この発明に係わるネットワーク電話システムの一実施形態を示す概略構成図である。
このシステムは、ＬＡＮ１を有する。このＬＡＮ１には、複数のＩＰ電話端末２−１〜２−ｎ（ｎは自然数）が接続されている。また、ＬＡＮ１には、主装置３が接続されている。主装置３は、ＬＡＮ１上に接続された複数のＩＰ電話端末２−１〜２−ｎ相互間の接続や、ＬＡＮ１とＩＰ網４との間を接続するもので、ＬＡＮ１とＩＰ網４との間における通信プロトコル及び信号フォーマットの変換機能を備えている。
【００１３】
主装置３は、この発明に係わる機能として次のような機能を有している。図２はその機能構成を示すブロック図である。
すなわち、主装置３は、ＩＰ網インタフェース（Ｉ／Ｆ）部３１と、ＬＡＮインタフェース（Ｉ／Ｆ）部３２と、パケット中継部３３と、制御部３４と、クロック発生部３５とを備えている。これらＩＰ網インタフェース部３１、ＬＡＮインタフェース部３２、パケット中継部３３及び制御部３４は、データハイウェイ３６を介して互いに接続されている。
【００１４】
また、ＩＰ網インタフェース部３１、ＬＡＮインタフェース部３２及びパケット中継部３３は、ＰＣＭハイウェイ３７を介して互いに接続されている。
ＩＰ網インタフェース部３１には、ＩＰ網４が必要に応じて接続される。ＩＰ網インタフェース部３１は、接続されたＩＰ網４とＰＣＭハイウェイ３７との間でインタフェース処理を行なう。また、ＩＰ網インタフェース部３１は、上記インタフェース処理に係わる種々の制御情報の授受を、データハイウェイ３６を介して制御部３４との間で行なう。
【００１５】
ＬＡＮインタフェース部３２には、ＬＡＮ１が必要に応じて接続される。ＬＡＮインタフェース部３２は、接続されたＬＡＮ１との間でインタフェース処理を行なう。また、ＬＡＮインタフェース部３２は、上記インタフェース処理に係わる種々の制御情報の授受を、データハイウェイ３６を介して制御部３４との間で行なう。
【００１６】
パケット中継部３３は、ＩＰ網４から受信した音声パケットをＬＡＮ１で取り扱い可能な音声パケットに変換してＬＡＮ１へ送出すると共に、ＬＡＮ１から受信した音声パケットをＩＰ網４で取り扱い可能な音声パケットに変換してＩＰ網４へ送信する機能を有する。
【００１７】
制御部３４は、ＣＰＵ、ＲＯＭ、ＲＡＭなどを有して構成され、ソフトウェア処理により主装置３の各部の制御や上記ＬＡＮ１とＩＰ網４との間の接続制御を行なう。
クロック発生部３５は、制御部３４に対し制御処理を実行するために必要なクロック信号を供給している。
【００１８】
ところで、この実施形態では、制御部３４にタイムスタンプ情報送信機能３４１を備えている。タイムスタンプ情報送信機能３４１は、ＲＴＣＰ（Ｒｅａｌ  ｔｉｍｅ  ｔｒａｎｓｐｏｒｔ  ｐｒｏｔｏｃｏｌ  ｃｏｎｔｒｏｌ  ｐｒｏｔｏｃｏｌ）プロトコルに従い、クロック発生部３５から供給されるクロック信号をタイムスタンプ情報として定期的に各ＩＰ電話端末２−１〜２−ｎに対し配信する。
【００１９】
一方、各ＩＰ電話端末２−１〜２−ｎは、この発明に係わる機能として次のような機能を有している。図３はその機能構成を示すブロック図である。
ＩＰ電話端末２−１〜２−ｎは、ＬＡＮインタフェース（Ｉ／Ｆ）部２１と、バッファ２２と、音声パケット処理部２３と、音声入出力インタフェース（Ｉ／Ｆ）部２４と、制御部２５と、操作パネル２６と、クロック発生部２７とを備えている。
【００２０】
ＬＡＮインタフェース部２１は、ＬＡＮ１に関するインタフェース動作を行なう。つまり、ＬＡＮインタフェース部２１は、ＬＡＮ１から送られてきた伝送パケットから音声パケットや制御データを抽出し、音声パケットをバッファ２２へ、また制御データを制御部２５へと与える。またＬＡＮインタフェース部２１は、バッファ２２から出力される音声パケットに、制御部２５から与えられる制御データを多重してＬＡＮ１に送信する。
【００２１】
バッファ２２は、ＬＡＮインタフェース部２１から与えられる音声パケットを格納し、制御部２５による制御の下、格納した音声パケットを音声パケット処理部２３へと与える。また、音声パケット処理部２３から与えられる音声パケットを格納し、ＬＡＮインタフェース部２１へと与える。
【００２２】
音声パケット処理部２３は、バッファ２２から与えられる音声パケットをアナログの受話音声信号に変換して音声入出力インタフェース部２４に与える。また、音声パケット処理部２３は、音声入出力インタフェース部２４から入力された送話音声信号をＬＡＮ１で取り扱い可能な音声パケットに変換してバッファ２２に与える。
【００２３】
音声入出力インタフェース部２４には、マイクロホン２８及びスピーカ２９が接続されている。音声入出力インタフェース部２４は、マイクロホン２８により入力された送話音声信号を音声パケット処理部２３に入力すると共に、音声パケット処理部２３から出力された受話音声信号をスピーカ２９から拡声出力する。
【００２４】
制御部２５は、ＣＰＵ、ＲＯＭ、ＲＡＭなどを有して構成され、ソフトウェア処理により本ＩＰ電話端末２−１〜２−ｎの各部の制御やＬＡＮ１を介して主装置３との間での通信処理を行なう。
【００２５】
操作パネル２６は、キースイッチ群などの入力デバイスやＬＣＤなどの表示デバイスを有し、ユーザによる制御部２５に対する各種の指示入力を受付けたり、ユーザに対する各種の情報報知を制御部２５の制御の下に行なう。
クロック発生部２７は、水晶振動子から成り、制御部２５に対し制御処理を実行するために必要なクロック信号を与えている。
【００２６】
ところで、この実施形態では、制御部２５にタイムスタンプ情報抽出機能２５１と、バッファ制御機能２５２と、クロック制御機能２５３とを備えている。
タイムスタンプ情報抽出機能２５１は、ＬＡＮインタフェース部２１から供給される制御データからタイムスタンプ情報を抽出する。
【００２７】
バッファ制御機能２５２は、クロック発生部２７から供給されるクロック信号に同期した読み出しタイミングでバッファ２２に格納された受話音声パケットを読み出して音声パケット処理部２３へ与え、またクロック信号に同期した書き込みタイミングで音声パケット処理部２３から出力される送話音声パケットをバッファ２２に書き込む。
【００２８】
クロック制御機能２５３は、タイムスタンプ情報抽出機能２５１により抽出されるタイムスタンプ情報と、クロック発生部２７から供給されるクロック信号とを比較してクロック誤差を求め、このクロック誤差が所定値以下となるようにクロック発生部２７のクロック発生周波数を制御する。
【００２９】
次に、以上のように構成されたシステムの動作について説明する。
主装置３において、制御部３４が図４に示すような制御処理を開始する。制御部３４はまず、周知の起動処理を実行する（ステップＳＴ４ａ）。この起動処理としては、図示しないタイマを起動させる処理等が含まれる。クロック発生部３５で発生されるクロック信号は、例えば保守者による手動操作に応じてＩＰ網４のクロックに合わせられるものとする。
【００３０】
続いて制御部３４は、タイマにより計時される起動時からの時間が一定時間経過したか否かを監視し（ステップＳＴ４ｂ）、経過した場合に（Ｙｅｓ）、クロック発生部３５から発生されるクロック信号をタイムスタンプ情報として各ＩＰ電話端末２−１〜２−ｎに送信する（ステップＳＴ４ｃ）。
【００３１】
一方、例えばＩＰ電話端末２−１において、制御部２５が図５に示すような制御処理を開始する。この制御処理を開始すると、制御部２５はまず主装置３からタイムスタンプ情報が送られてきたか否かを監視する（ステップＳＴ５ａ）。そして、タイムスタンプ情報が送られてきた場合に（Ｙｅｓ）、制御部２５はタイムスタンプ情報とクロック発生部２７から供給されるクロック信号とを比較して、クロック誤差を求め（ステップＳＴ５ｂ）、このクロック誤差が所定値以下であるか否かの判断を行なう（ステップＳＴ５ｃ）。この所定値は、図６に示すように、主装置３のクロックを基準とし、バッファ２２がオーバーランまたはアンダーランを起こさない範囲を示している。
【００３２】
ここで、クロック誤差が所定値を超える場合に（Ｎｏ）、制御部２５はクロック発生部２７のクロック発生周波数を上げる／下げるの２値ＰＬＬ（Ｐｈａｓｅ  Ｌｏｃｋｅｄ  Ｌｏｏｐ）制御を行ない（ステップＳＴ５ｄ）、クロック誤差が所定値以下になるまでステップＳＴ５ｃ及びステップＳＴ５ｄの処理を繰り返し実行する。
そして、ステップＳＴ５ｃにおいてクロック誤差が所定値以下と判断されたならば、制御部２５は処理を終了し、次のタイムスタンプ情報の到来に対する準備に入る。
【００３３】
以上のように上記実施形態では、主装置３において、クロック発生部３５から発生されたクロック信号がタイムスタンプ情報として定期的にＬＡＮ１上の各ＩＰ電話端末２−１〜２−ｎに供給される。そして、各ＩＰ電話端末２−１〜２−ｎの制御部２５において、クロック発生部２７から発生されたクロック信号と主装置３から送られたタイムスタンプ情報とを比較することでクロック誤差が所定値を超えるか否か、つまりバッファ２２におけるオーバーランまたはアンダーランを起こす範囲であるか否かが常時判定され、所定値を超える場合に、クロック誤差が所定値以下となるようにクロック発生部２７のクロック発生周波数が制御されることになる。
【００３４】
したがって、主装置３で生成されるクロック信号がＩＰ網４上で使用されるクロック信号に同期している場合に、各ＩＰ電話端末２−１〜２−ｎで生成されるクロック信号をＩＰ網４のクロック信号に同期させることができ、これによりバッファ２２におけるオーバーランやアンダーランを避けることができ、音声通信を行なう際に発生する音声の抜けやノイズ等を低減することができる。
【００３５】
また、上記実施形態によれば、主装置３のクロック発生部３５から発生されるクロック信号をＩＰ網４上のクロック信号に同期させるだけで、各ＩＰ電話端末２−１〜２−ｎそれぞれのクロック信号をＩＰ網４上のクロック信号に同期させることができるので、各ＩＰ電話端末２−１〜２−ｎのユーザが自端末のクロックを調整する場合に比べて、調整作業の手間を大幅に軽減できる。
【００３６】
さらに、上記実施形態によれば、ＬＡＮ１上のＲＴＣＰプロトコルで規定される制御データ、つまりパケットに付加するタイムスタンプ情報を利用することで、新たに信号ラインを設ける必要がなく、主装置３のクロック信号を各ＩＰ電話端末２−１〜２−ｎに配信することができる。
【００３７】
なお、この発明は上記実施形態に限定されるものではない。
上記実施形態では、各ＩＰ電話端末２−１〜２−ｎにおいて、クロック発生部２７で発生したクロック信号と主装置３から送られてきたタイムスタンプ情報とを比較してクロック誤差を求め、このクロック誤差が所定値以下となるようにクロック発生部２７のクロック発生周波数を制御する例について説明した。これに限ることなく、各ＩＰ電話端末２−１〜２−ｎにおいて、タイムスタンプ情報と自端末のクロック信号とを比較し、この比較結果からクロックがずれた分だけクロック発生部２７のクロック発生周波数を制御するようにしてもよい。
【００３８】
その他、システム構成や、主装置の種類やその構成、ＩＰ電話端末の種類やその構成、各制御の制御手順とその内容等についてもこの発明の要旨を逸脱しない範囲で種々変形して実施できる。
【００３９】
【発明の効果】
以上詳述したようにこの発明によれば、パケット伝送用のネットワーク上で音声通信を行なう際に、音声の抜けやノイズ等の発生を低減することが可能なネットワーク電話システムとその主装置及びネットワーク電話端末を提供することができる。
【図面の簡単な説明】
【図１】この発明に係わるネットワーク電話システムの一実施形態を示す概略構成図。
【図２】図１に示した主装置の具体的構成を示すブロック図。
【図３】図１に示したＩＰ電話端末の具体的構成を示すブロック図。
【図４】図２に示した主装置における制御部の処理手順及び処理内容を示すフローチャート。
【図５】図３に示したＩＰ電話端末における制御部の処理手順及び処理内容を示すフローチャート。
【図６】主装置とＩＰ電話端末との間のクロック動作を説明するために示す図。
【符号の説明】
１…ＬＡＮ（Ｌｏｃａｌ  Ａｒｅａ  Ｎｅｔｗｏｒｋ）、２−１〜２−ｎ…ＩＰ電話端末、３…主装置、４…ＩＰ網、２１…ＬＡＮインタフェース（Ｉ／Ｆ）部、２２…バッファ、２３…音声パケット処理部、２４…音声入出力インタフェース（Ｉ／Ｆ）部、２５，３４…制御部、２６…操作パネル、２７，３５…クロック発生部、２８…マイクロホン、２９…スピーカ、３１…ＩＰ網インタフェース（Ｉ／Ｆ）部、３２…ＬＡＮインタフェース（Ｉ／Ｆ）部、３３…パケット中継部、３６…データハイウェイ、３７…ＰＣＭハイウェイ、２５１…タイムスタンプ情報抽出機能、２５２…バッファ制御機能、２５３…クロック制御機能、３４１…タイムスタンプ情報送信機能。
【図１】
2004336145.tif 000003
【図２】
2004336145.tif 000004
【図３】
2004336145.tif 000005
【図４】
2004336145.tif 000006
【図５】
2004336145.tif 000007
【図６】
2004336145.tif 000008